(57)【要約】【課題】折り畳み可能な寝具載置用スノコを、布団干しとしても使用できるようにするための折り畳み途中形態保持具、並びにこの折り畳み途中形態保持具を具備して布団干しとしても使用可能な寝具載置用スノコを提供すること。【解決手段】折り曲げ手段４により寝具載置用スノコＳを山形若しくは谷形の折り畳み途中形態Ｋとした際に隣接する前記各スノコ板ユニットＵ間に架設可能な長さを有する保持具本体５の両端部を、スノコ板ユニットＵの木製帯板１間の隙間３に挿入可能な形状に形成し、この保持具本体５の両端部に、スノコ板ユニットＵの隙間３の上方と下方に位置する木製帯板１に係止して隣接するスノコ板ユニットＵを開き止め状態に保持する係止部６を設ける。【選択図】図２
0003176764.tif 000002
【実用新案登録請求の範囲】
【請求項１】
所定枚数の木製帯板を一組として、各木製帯板を連結桟により間隔を置いた並設状態に連結して成るスノコ板ユニットを複数備え、この複数のスノコ板ユニット同士を、柔軟性を有する連結部材やヒンジなどの折り曲げ手段を介して連結してこの折り曲げ手段により複数のスノコ板ユニット同士を重合折り畳み可能に構成した寝具載置用スノコに用いる折り畳み途中形態保持具であって、前記折り曲げ手段により前記寝具載置用スノコを山形若しくは谷形の折り畳み途中形態とした際に隣接する前記スノコ板ユニット間に架設可能な長さを有する保持具本体の両端部を、前記スノコ板ユニットの前記木製帯板間の隙間に挿入可能な形状に形成し、この保持具本体の両端部に、前記スノコ板ユニットの前記隙間の上方若しくは下方に位置する前記木製帯板に係止して前記折り畳み途中形態とした際の隣接するスノコ板ユニットを開き止め状態に保持する係止部を設けて、この係止部による開き止め作用により前記寝具載置用スノコを前記折り畳み途中形態に保持し得るように構成したことを特徴とする寝具載置用スノコに用いる折り畳み途中形態保持具。
【請求項２】
前記保持具本体は、前記スノコ板ユニットの前記木製帯板間の前記隙間幅より径小な径寸法の棒状体若しくは前記隙間幅より薄厚な板厚寸法の帯板状体で構成し、この保持具本体の両端部の上部に、前記スノコ板ユニットの前記隙間の上方に位置する前記木製帯板に当接係止する前記係止部を上方へ向けて突設するか、若しくは前記保持具本体の両端部の下部に、前記スノコ板ユニットの前記隙間の下方に位置する前記木製帯板に当接係止する前記係止部を下方へ向けて突設したことを特徴とする請求項１記載の寝具載置用スノコに用いる折り畳み途中形態保持具。
【請求項３】
前記係止部は、前記保持具本体の両端部の上部と下部とに突設して、保持具本体の上部に突設する係止部が前記スノコ板ユニットの前記隙間の上方に位置する前記木製帯板に係止すると共に、保持具本体の下部に突設する係止部が前記スノコ板ユニットの前記隙間の下方に位置する前記木製帯板に係止する構成としたことを特徴とする請求項１，２のいずれか１項に記載の寝具載置用スノコに用いる折り畳み途中形態保持具。
【請求項４】
木製の前記保持具本体の両端部に取付孔を設け、この各取付孔に木製ピンを差し込み固定することでこの木製ピンを保持具本体の外方へ突設して、この突設する木製ピンを前記係止部としたことを特徴とする請求項１〜３のいずれか１項に記載の寝具載置用スノコに用いる折り畳み途中形態保持具。
【請求項５】
前記係止部は、隣接する前記各スノコ板ユニット同士を前記折り曲げ手段を介して山形若しくは谷形に折り曲げた際に、斜設状態となる各スノコ板ユニットの前記木製帯板に対して面接若しくは線接状態で当接係止する形状に形成したことを特徴とする請求項１〜４のいずれか１項に記載の寝具載置用スノコに用いる折り畳み途中形態保持具。
【請求項６】
所定枚数の木製帯板を一組として、各木製帯板を連結桟により間隔を置いた並設状態に連結して成るスノコ板ユニットを複数備え、この複数のスノコ板ユニット同士を、柔軟性を有する連結部材やヒンジなどの折り曲げ手段を介して連結してこの折り曲げ手段により複数のスノコ板ユニット同士を重合折り畳み可能に構成した寝具載置用スノコであって、前記請求項１〜５のいずれか１項に記載の寝具載置用スノコに用いる折り畳み途中形態保持具を具備したことを特徴とする寝具載置用スノコ。
【考案の詳細な説明】
【技術分野】
【０００１】
本考案は、折り畳み可能な寝具載置用スノコを、その折り畳み途中の形態に保持して布団干しとして使用可能にするための寝具載置用スノコに用いる折り畳み途中形態保持具並びに布団干しとしても使用可能な寝具載置用スノコに関するものである。
【背景技術】
【０００２】
従来から、スノコ板ユニットを四枚直列に並設すると共に、各スノコ板ユニット間を折り曲げ手段を介して繋げた構成として、不使用時にコンパクトな四つ折り形に折り畳みできる寝具載置用スノコが実施されている。
【先行技術文献】
【非特許文献】
【０００３】
【非特許文献１】東急百貨店の通信販売カタログ  ２００７秋号  第１８７頁所載の布団用スノコ
【考案の概要】
【考案が解決しようとする課題】
【０００４】
本考案は、このような折り畳み可能な寝具載置用スノコの実用性を更に向上させようとするためのもので、寝具載置用スノコを山形若しくは谷形の折り畳み途中形態に保持して布団干しとしても使用できるようにする寝具載置用スノコに用いる折り畳み途中形態保持具を提案すると共に、この折り畳み途中形態保持具を具備して布団干しとしても使用可能な寝具載置用スノコを提案するものである。
【課題を解決するための手段】
【０００５】
添付図面を参照して本考案の要旨を説明する。
【０００６】
所定枚数の木製帯板１を一組として、各木製帯板１を連結桟２により間隔を置いた並設状態に連結して成るスノコ板ユニットＵを複数備え、この複数のスノコ板ユニットＵ同士を、柔軟性を有する連結部材４Ａやヒンジなどの折り曲げ手段４を介して連結してこの折り曲げ手段４により複数のスノコ板ユニットＵ同士を重合折り畳み可能に構成した寝具載置用スノコＳに用いる折り畳み途中形態保持具Ｈであって、前記折り曲げ手段４により前記寝具載置用スノコＳを山形若しくは谷形の折り畳み途中形態Ｋとした際に隣接する前記スノコ板ユニットＵ間に架設可能な長さを有する保持具本体５の両端部を、前記スノコ板ユニットＵの前記木製帯板１間の隙間３に挿入可能な形状に形成し、この保持具本体５の両端部に、前記スノコ板ユニットＵの前記隙間３の上方若しくは下方に位置する前記木製帯板１に係止して前記折り畳み途中形態Ｋとした際の隣接するスノコ板ユニットＵを開き止め状態に保持する係止部６を設けて、この係止部６による開き止め作用により前記寝具載置用スノコＳを前記折り畳み途中形態Ｋに保持し得るように構成したことを特徴とする寝具載置用スノコに用いる折り畳み途中形態保持具に係るものである。
【０００７】
また、前記保持具本体５は、前記スノコ板ユニットＵの前記木製帯板１間の前記隙間３幅より径小な径寸法の棒状体若しくは前記隙間３幅より薄厚な板厚寸法の帯板状体で構成し、この保持具本体５の両端部の上部に、前記スノコ板ユニットＵの前記隙間３の上方に位置する前記木製帯板１に当接係止する前記係止部６を上方へ向けて突設するか、若しくは前記保持具本体５の両端部の下部に、前記スノコ板ユニットＵの前記隙間３の下方に位置する前記木製帯板１に当接係止する前記係止部６を下方へ向けて突設したことを特徴とする請求項１記載の寝具載置用スノコに用いる折り畳み途中形態保持具に係るものである。
【０００８】
また、前記係止部６は、前記保持具本体５の両端部の上部と下部とに突設して、保持具本体５の上部に突設する係止部６が前記スノコ板ユニットＵの前記隙間３の上方に位置する前記木製帯板１に係止すると共に、保持具本体５の下部に突設する係止部６が前記スノコ板ユニットＵの前記隙間３の下方に位置する前記木製帯板１に係止する構成としたことを特徴とする請求項１，２のいずれか１項に記載の寝具載置用スノコに用いる折り畳み途中形態保持具に係るものである。
【０００９】
また、木製の前記保持具本体５の両端部に取付孔７を設け、この各取付孔７に木製ピン８を差し込み固定することでこの木製ピン８を保持具本体５の外方へ突設して、この突設する木製ピン８を前記係止部６としたことを特徴とする請求項１〜３のいずれか１項に記載の寝具載置用スノコに用いる折り畳み途中形態保持具に係るものである。
【００１０】
また、前記係止部６は、隣接する前記各スノコ板ユニットＵ同士を前記折り曲げ手段４を介して山形若しくは谷形に折り曲げた際に、斜設状態となる各スノコ板ユニットＵの前記木製帯板１に対して面接若しくは線接状態で当接係止する形状に形成したことを特徴とする請求項１〜４のいずれか１項に記載の寝具載置用スノコに用いる折り畳み途中形態保持具に係るものである。
【００１１】
また、所定枚数の木製帯板１を一組として、各木製帯板１を連結桟２により間隔を置いた並設状態に連結して成るスノコ板ユニットＵを複数備え、この複数のスノコ板ユニットＵ同士を、柔軟性を有する連結部材４Ａやヒンジなどの折り曲げ手段４を介して連結してこの折り曲げ手段４により複数のスノコ板ユニットＵ同士を重合折り畳み可能に構成した寝具載置用スノコＳであって、前記請求項１〜５のいずれか１項に記載の寝具載置用スノコに用いる折り畳み途中形態保持具Ｈを具備したことを特徴とする寝具載置用スノコに係るものである。
【考案の効果】
【００１２】
本考案は上述のように構成したから、折り畳み途中形態保持具を用いることによって簡易操作により寝具載置用スノコを布団干しとしての使用態様（折り畳み途中形態）に保持可能であり、従って折り畳み可能な寝具載置用スノコに布団干し機能を容易に追加付与でき、しかも、本考案の折り畳み途中形態保持具は、寝具載置用スノコに組み込まずに別部品として提供するから、寝具載置用スノコには改造が不要で、既製の折り畳み可能な寝具載置用スノコに対しても利用可能であり、その上、本考案の折り畳み途中形態保持具は、実質的に寝具載置用スノコを折り畳み途中形態とした際に隣接する各スノコ板ユニット間に架設可能な長さを有するものであって、両端部をスノコ板ユニットの木製帯板間の隙間に挿入可能な形状に形成すると共にこの両端部に木製帯板に係止する係止部を設けるだけの構成であるから、この構成は簡易に設計実現可能で、量産性に優れ安価な製品を提供可能となるなど、極めて実用性に優れた寝具載置用スノコに用いる折り畳み途中形態保持具となる。
【００１３】
また、請求項２記載の考案においては、前記作用・効果を確実に発揮する折り畳み途中形態保持具を簡易構成にして容易に設計実現可能となり、しかも、保持具本体を、棒状体若しくは帯板状体で構成したから、本考案の折り畳み途中形態保持具は嵩張らず、不使用時の収納の便が良いなど、一層実用性に優れた構成の寝具載置用スノコに用いる折り畳み途中形態保持具となる。
【００１４】
また、請求項３記載の考案においては、保持具本体の両端部の係止部が夫々、隣接するスノコ板ユニットの隙間の上方に位置する木製帯板と、隙間の下方に位置する木製帯板とに係止するから、係止部の木製帯板への係止作用が良好に発揮されて隣接するスノコ板ユニットを一層安定的に開き止めでき、これにより布団干しとしての使用態様（折り畳み途中形態）が一層強固に保持されることになる極めて実用性に優れた構成の寝具載置用スノコに用いる折り畳み途中形態保持具となる。
【００１５】
また、請求項４記載の考案においては、保持具本体の両端部に係止部を設ける構成を木材を用いて加工することにより簡易に設計実現可能となる一層実用性に優れた構成の寝具載置用スノコに用いる折り畳み途中形態保持具となる。
【００１６】
また、請求項５記載の考案においては、係止部が、折り畳み途中形態の寝具載置用スノコの木製帯板に安定的に係止して隣接するスノコ板ユニットを一層良好に開き止めでき、これにより布団干しとしての使用態様（折り畳み途中形態）が一層強固に保持されることになる極めて実用性に優れた構成の寝具載置用スノコに用いる折り畳み途中形態保持具となる。
【００１７】
また、請求項６記載の考案は上述のように構成したから、前記作用・効果を発揮する折り畳み途中形態保持具を具備して布団干しとしても使用可能な実用性に優れた寝具載置用スノコとなる。
【図面の簡単な説明】
【００１８】
【図１】本実施例の折り畳み途中形態保持具を示す斜視図である。
【図２】本実施例の布団干しとしての使用状態を示す斜視図である。
【図３】本実施例の布団干しとしての使用状態を示す側面図である。
【図４】本実施例の寝具載置用スノコを示す斜視図である。
【図５】本実施例の寝具載置用スノコの折り畳み状態を示す側面図である。
【考案を実施するための形態】
【００１９】
好適と考える本考案の実施形態を、図面に基づいて本考案の作用を示して簡単に説明する。
【００２０】
本考案の寝具載置用スノコＳは、通常、複数のスノコ板ユニットＵを水平に並設させた状態で敷布団などの寝具Ｆを載置し使用するが、不使用時には、折り曲げ手段４を介して折り曲げることによりスノコ板ユニットＵ同士を重合折り畳み状態として、コンパクト化できる。
【００２１】
また、本考案の寝具載置用スノコＳは、折り畳み途中形態保持具Ｈを用いることによって布団干しとしても使用可能である。
【００２２】
布団干しとして使用する場合を具体的に説明すると、寝具載置用スノコＳを折り曲げ手段４により折り曲げて山形若しくは谷形を呈する折り畳み途中形態Ｋ（例えば、図２，図３参照）とし、この折り畳み途中形態Ｋで隣接するスノコ板ユニットＵ間に本考案の折り畳み途中形態保持具Ｈを架設してこの折り畳み途中形態保持具Ｈの両端部を各スノコ板ユニットＵの木製帯板１の隙間３に挿入し、この折り畳み途中形態保持具Ｈの両端部に設けた係止部６を前記隙間３の上方若しくは下方に位置する前記木製帯板１に係止すると、隣接するスノコ板ユニットＵが開き止め状態に係止保持されることになり、この係止部６の開き止め作用により寝具載置用スノコＳが前記折り畳み途中形態Ｋに保持されることになる。
【００２３】
そして、この折り畳み途中形態Ｋに保持された寝具載置用スノコＳに、寝具Ｆを載置して布団干しとして使用することができる。
【００２４】
従って、本考案によれば、上記した非常に簡単な操作で、寝具載置用スノコＳを布団干しとしての使用状態に切り替えることができる。
【００２５】
また、本考案の折り畳み途中形態保持具Ｈは、寝具載置用スノコＳに組み込まずに別部品として提供するから、寝具載置用スノコＳには改造が不要であって、既製の折り畳み可能な寝具載置用スノコＳに対しても利用可能である。
【００２６】
また、本考案の折り畳み途中形態保持具Ｈは、寝具載置用スノコＳを折り畳み途中形態Ｋとした際に隣接するスノコ板ユニットＵ間に架設可能な長さを有する保持具本体５の両端部を、スノコ板ユニットＵの木製帯板１間の隙間３に挿入可能な形状に形成すると共に、この保持具本体５の両端部にスノコ板ユニットＵの木製帯板１に係止する係止部６を設けるだけの簡易構成であるため、容易に設計実現可能である。
【００２７】
尚、請求項１中の「木製帯板に係止」なる文言は、後述する実施例で示したように、係止部６が単に木製帯板１に当接（当接係止）するような構成をも含む意味合いで用いている。
【実施例】
【００２８】
本考案の具体的な実施例について図面に基づいて説明する。
【００２９】
本実施例は、スノコベッドとしても押入れ内の布団置きとしても使用可能な折り畳み式の寝具載置用スノコＳと、このスノコＳの折り畳み機能を利用して布団干しとしても使用可能にするための折り畳み途中形態保持具Ｈとから成る構成としている。
【００３０】
先ず、本実施例の寝具載置用スノコＳについて説明する。
【００３１】
所定枚数（図面では五枚）の木製帯板１を一組として、各木製帯板１の裏面を、この木製帯板１と直交状態に配した四本の帯状木製連結桟２により間隔を置いた並設状態に連結して成る長方形状のスノコ板ユニットＵを四枚備え、この四枚のスノコ板ユニットＵをその長手方向縁同士を突き合わせて直列に並設すると共に、この各スノコ板ユニットＵの突き合わせた長手方向縁の三箇所を、柔軟性を有する連結部材４Ａ（例えば短尺な布製ベルト）を採用した折り曲げ手段４を介して連結して、各スノコ板ユニットＵを水平に並べて載置した際に平面視で長方形状をなすように構成している（図４参照）。図中符号９は、接地脚としても機能する前記連結桟２の下面に付設した緩衝材である。
【００３２】
また、この寝具載置用スノコＳは、前記折り曲げ手段４を介して折り曲げることにより複数のスノコ板ユニットＵ同士を重合折り畳み可能となるように、前記連結部材４の長さ寸法を設定構成し、不使用時には、例えば寝具載置用スノコＳの一側から一枚目と二枚目のスノコ板ユニットＵを互いの裏面側同士が重合するように折り畳み、二枚目と三枚目のスノコ板ユニットＵの互いの表面側同士が重合するように折り畳み、三枚目と四枚目のスノコ板ユニットＵを互いの裏面側同士が重合するように折り畳むことで、一つのスノコ板ユニットＵ大にコンパクト化できる構成としている（図５参照）。尚、折り曲げ手段４は、蝶番などのヒンジを採用して構成しても良い。
【００３３】
次に、本実施例の折り畳み途中形態保持具Ｈについて説明する。
【００３４】
前記寝具載置用スノコＳを、前記折り曲げ手段４により山形若しくは谷形の折り畳み途中形態Ｋとした際に隣接する前記各スノコ板ユニットＵ間に架設可能な長さを有する保持具本体５を具備し、この保持具本体５の両端部を、前記スノコ板ユニットＵの前記木製帯板１間の隙間３に挿入可能な形状に形成し、この保持具本体５の両端部に、前記スノコ板ユニットＵの前記隙間３の上方若しくは下方に位置する前記木製帯板１に係止して隣接するスノコ板ユニットＵを開き止め状態に保持する係止部６を設けて、この係止部６による開き止め作用により前記寝具載置用スノコＳを前記折り畳み途中形態Ｋに保持し得るように構成している。
【００３５】
具体的には、前記保持具本体５は、図１に示すように、前記スノコ板ユニットＵの前記木製帯板１間の前記隙間３幅より径小な径寸法の木製角形棒状体で構成して、この保持具本体５の両端部を前記隙間３に挿入可能としている。尚、前記隙間３幅より薄厚な板厚寸法の帯板状体を用いて、両端部を前記隙間３に挿入可能な前記保持具本体５を構成しても良い。
【００３６】
また、この保持具本体５の両端部に取付孔７を設け、この各取付孔７に木製ピン８を差し込み固定すると共に、この各木製ピン８は、保持具本体５の外方へ突出するように固定して、この外方へ突出する各木製ピン８を前記係止部６としている。
【００３７】
更に詳しくは、図１に示すように、保持具本体５の両端部に、この保持具本体５を上下方向に貫通する丸孔状の前記取付孔７を設け、この各取付孔７に、前記保持具本体５の上下幅より長さ幅があり且つ前記スノコ板ユニットＵの木製帯板１間の隙間３幅より長さ幅がある丸棒状の前記木製ピン８を差し込んで挿通すると共に、この木製ピン８の両端部を保持具本体５の上部と下部から突出するようにして取付孔７に木製ピン８を固定（例えば接着固定）して、この保持具本体５の上部と下部より突出する木製ピン８の両端部を、前記スノコ板ユニットＵの木製帯板１の表面若しくは裏面に当接係止する前記係止部６としている。
【００３８】
即ち、本実施例では、前記保持具本体５の両端部の上部と下部の双方に前記係止部６を突設して、保持具本体５の上部に突設する係止部６が前記スノコ板ユニットＵの前記隙間３の上方に位置する前記木製帯板１に係止すると共に、保持具本体５の下部に突設する係止部６が前記スノコ板ユニットＵの前記隙間３の下方に位置する前記木製帯板１に係止して、隣接する前記スノコ板ユニットＵを開き止め状態に保持する構成としている。尚、この係止部６は、保持具本体５の両端部の上部にだけ突設してこの係止部６が前記隙間３の上方に位置する木製帯板１にだけ係止する構成としても良いし、保持具本体５の両端部の下部にだけ突設してこの係止部６が前記隙間３の下方に位置する木製帯板１にだけ係止する構成としても良い。
【００３９】
また、本実施例の折り畳み途中形態保持具Ｈの、前記寝具載置用スノコＳへの取付方法は、前記係止部６を構成する木製ピン８が前記隙間３幅より長いために、保持具本体５をその軸芯を中心に９０度回転させて係止部６を木製帯板１に干渉させずに両端部を隣接するスノコ板ユニットＵの前記隙間３に挿入する。続いて、保持具本体５を前記とは逆方向に９０度回転させることで、係止部６を木製帯板１の表面若しくは裏面に当接係止させる（図面は係止部６を木製帯板１の表面に当接係止させた場合を示している。）。
【００４０】
また、図２，図３は、山・谷が連続する形（側方より見てＭ字形）に折り曲げられた寝具載置用スノコＳの、山形部分を構成している二枚の隣接するスノコ板ユニットＵ間に折り畳み途中形態保持具Ｈを架設することにより、この山形部分の形態を保持して山・谷が連続する折り畳み途中形態Ｋに寝具載置用スノコＳを保持した場合を示している。そして、この折り畳み途中形態Ｋに保持した寝具載置用スノコＳを、布団干しとして使用できる構成としている。
【００４１】
また、図示のように、隣接するスノコ板ユニットＵを前記折り曲げ手段４を介して山形に折り曲げると、隣接するスノコ板ユニットＵはその木製帯板１が斜設状態となるが、本実施例の前記係止部６は、この斜設状態の木製帯板１に対して面接若しくは線接状態で当接係止する形状に形成している。
【００４２】
具体的には、前記取付孔７を、隣接するスノコ板ユニットＵを山形に折り曲げた際の前記木製帯板１の斜設角度に合わせた傾斜度を有する傾斜孔に形成し、この傾斜取付孔７に前記木製ピン８を差し込み固定することで、前記係止部６を構成する木製ピン８の上下端部が保持具本体５の両端部の上部と下部とに傾斜状態で突出するように構成している。
【００４３】
従って、隣接するスノコ板ユニットＵを山形に折り曲げた際に傾斜突出する上下の係止部６を木製帯板１に線接状態で当接係止させることができる構成としている。
【００４４】
尚、図２，図３では、山形に折り曲げた隣接する各スノコ板ユニットＵの上から三番目の隙間３に保持具本体Ｈの両端部を挿入した場合を示しており、本実施例では、このようにした場合に上下の係止部６が双方とも隙間３の上下の木製帯板１に当接係止するように、係止部６の傾斜角度（取付孔７の傾斜角度）を設定構成している。
【００４５】
また、図面では、隣接するスノコ板ユニットＵ間に二本の折り畳み途中形態保持具Ｈを架設して寝具載置用スノコＳを布団干しの使用態様（折り畳み途中形態Ｋ）に保持した場合を示しているが、隣接する木製帯板１間に折り畳み途中形態保持具Ｈを一本だけ架設して折り畳み途中形態Ｋを保持するようにしても良い。
【００４６】
尚、本考案は、本実施例に限られるものではなく、各構成要件の具体的構成は適宜設計し得るものである。
【符号の説明】
【００４７】
１  木製帯板
２  連結桟
３  隙間
４  折り曲げ手段
４Ａ  連結部材
５  保持具本体
６  係止部
７  取付孔
８  木製ピン
Ｈ  折り畳み途中形態保持具
Ｋ  折り畳み途中形態
Ｓ  寝具載置用スノコ
Ｕ  スノコ板ユニット
【図１】
0003176764.tif 000003
【図２】
0003176764.tif 000004
【図３】
0003176764.tif 000005
【図４】
0003176764.tif 000006
【図５】
0003176764.tif 000007